(57)【要約】【課題】一重巻きで使用しても、施工者がガス管等の存在に気づくことができるような「ずれ」や「破れ」を生じさせることができ、これにより、ガス管等への施工が容易なガス管等の防護材を提供する。【解決手段】可撓性を有するクッション材１２と、可撓性を有し、クッション材１２よりも薄く形成されており、クッション材１２の表面に積層されている下側シート１４と、可撓性を有し、クッション材１２よりも薄く形成されており、下側シート１４の表面に当接するように配設されている上側シート１６とでガス管等Ｘの防護材１０を構成する。【選択図】図１
2020169702.tif 000002
【特許請求の範囲】
【請求項１】
可撓性を有するクッション材と、
可撓性を有し、前記クッション材よりも薄く形成されており、前記クッション材の表面に積層されている下側シートと、
可撓性を有し、前記クッション材よりも薄く形成されており、前記下側シートの表面に当接するように配設されている上側シートとを備える
ガス管等の防護材。
【請求項２】
前記上側シートの中央部は、前記下側シートに対して摺動自在であることを特徴とする
請求項１に記載の防護材。
【請求項３】
前記上側シートと前記下側シートとは、いずれか一つの端部において、互いに一体的に連結されていることを特徴とする
請求項１または２に記載の防護材。
【請求項４】
可撓性を有するクッション材と、
可撓性を有し、前記クッション材よりも薄く形成されており、前記クッション材の表面に当接するように配設されているシートとを備えており、
前記シートの中央部は、前記クッション材に対して摺動自在であることを特徴とする
ガス管等の防護材。
【請求項５】
前記クッション材における前記ガス管等に接する面には、前記ガス管等の表面で滑りにくい素材で構成された滑り止めシートが積層されていることを特徴とする
請求項１から４のいずれか１項に記載の防護材。
【発明の詳細な説明】
【技術分野】
【０００１】
本発明は、例えば、地中に埋設されるプラスチック製のガス管等の耐衝撃性を高めるために当該ガス管等に巻き付けて使用される防護材に関する。
【背景技術】
【０００２】
近年、液体あるいは気体の輸送配管（例えば、上下水道やガス管、以下、単に「ガス管等」という。）として、プラスチック製のガス管等が普及している。とりわけ、ポリエチレン管は、可撓性を有するとともに、軽量で、かつ、施工が容易であり、さらに、地中に埋設しても腐食しないという利点を有していることから、広く用いられている。
【０００３】
しかし、このポリエチレン管には、衝撃に対する強度が低いという難点がある。このため、先にガス管等が埋設されている地面を、掘削機等を用いて掘削する際、当該掘削機等の爪が埋設されたガス管等に当たってしまい、当該ガス管等を損傷させてしまうおそれがある。
【０００４】
このようにガス管等を損傷させてしまう可能性を低減するため、当該ガス管等に巻き付けて使用する保護シートが開発されている（例えば、特許文献１）。
【０００５】
特許文献１に開示された保護シートは、比較的厚手のクッション材の表面に、当該クッション材よりも薄手のシートを１枚積層することによって構成されている。
【０００６】
このような保護シートをガス管等の表面に一重、あるいは、二重以上に巻き付けることにより、掘削機等の爪がガス管等に当たったときに当該ガス管等が損傷する可能性を低減できるようになっている。
【先行技術文献】
【特許文献】
【０００７】
【特許文献１】特開２００７−１３２３７０号公報
【発明の概要】
【発明が解決しようとする課題】
【０００８】
しかしながら、特許文献１に開示された保護シートは、実際にはガス管等に対して一重で使用されることはなく、二重以上に巻き付けて使用されることが通常であり、このためガス管等への施工に手間がかかるという問題があった。
【０００９】
特許文献１に開示された保護シートが一重では使用されない主な理由は、掘削機等の爪を地面に差し込むといった鉛直方向動作の後、当該爪を掘削機等の本体に向けて引き戻してくるというような水平方向動作を行う際に、できればガス管等に巻き付けた保護シートの外面側だけがずれたり破れたりするようになって欲しいという施工者の要望によるところが大きい。
【００１０】
掘削機等の爪を水平方向動作させる際に保護シートの外面側だけがずれたり破れたりするように動くことにより、施工者は埋設されているガス管等の存在に気づくことができ、当該ガス管等を損傷させないように配慮できるようになるからである。
【００１１】
本発明は、このような課題に鑑みてなされたものであり、その目的は、ガス管等に対して一重巻きで使用しても、施工者がガス管等の存在に気づくことができるような「ずれ」や「破れ」を生じさせることができ、これにより、ガス管等への施工が容易なガス管等の防護材を提供することにある。
【課題を解決するための手段】
【００１２】
本発明の一局面によれば、
可撓性を有するクッション材と、
可撓性を有し、前記クッション材よりも薄く形成されており、前記クッション材の表面に積層されている下側シートと、
可撓性を有し、前記クッション材よりも薄く形成されており、前記下側シートの表面に当接するように配設されている上側シートとを備える
ガス管等の防護材が提供される。
【００１３】
好適には、前記上側シートの中央部は、前記下側シートに対して摺動自在である。
【００１４】
好適には、前記上側シートと前記下側シートとは、いずれか一つの端部において、互いに一体的に連結されている。
【００１５】
本発明の他の局面によれば、
可撓性を有するクッション材と、
可撓性を有し、前記クッション材よりも薄く形成されており、前記クッション材の表面に当接するように配設されているシートとを備えており、
前記シートの中央部は、前記クッション材に対して摺動自在であることを特徴とする
ガス管等の防護材が提供される。
【００１６】
好適には、前記クッション材における前記ガス管等に接する面には、前記ガス管等の表面で滑りにくい素材で構成された滑り止めシートが積層されている。
【発明の効果】
【００１７】
本発明によれば、クッション材の表面に下側シートが積層され、さらにその上に上側シートが当該下側シートに対して当接するように配設されている。これにより、掘削機等の爪を水平方向動作させる際に、下側シートやクッション材に対して上側シートだけがずれたり破れたりするように動くことになり、施工者は埋設されているガス管等の存在に気づくことができ、爪を鉛直方向動作させる際に当該ガス管等を損傷させないように配慮できるようになる。
【００１８】
これにより、一重巻きで使用しても、施工者がガス管等の存在に気づくことができるような「ずれ」や「破れ」を生じさせることができることから、ガス管等への施工が容易なガス管等の防護材を提供することができた。
【図面の簡単な説明】
【００１９】
【図１】本発明が適用された防護材１０の断面図である。
【図２】防護材１０を構成する上側シート１６および下側シート１４の構造を示す斜視図である。
【図３】防護材１０を構成する上側シート１６および下側シート１４の他の構造を示す斜視図である。
【図４】防護材１０を構成する上側シート１６および下側シート１４のさらに他の構造を示す斜視図である。
【図５】ガス管等Ｘに防護材１０を巻き付けた状態を示す断面図である。
【図６】変形例１に係る防護材１０の断面図である。
【図７】変形例２に係る防護材１０の断面図である。
【発明を実施するための形態】
【００２０】
（防護材１０の構成）
図１は、本発明が適用された実施形態に係る防護材１０を示している。この防護材１０は、クッション材１２と、下側シート１４と、上側シート１６とを備えている。
【００２１】
クッション材１２は、掘削機等の爪が当たったとき等にその衝撃力を受け止めることによってガス管等Ｘが損傷するのを防止する役割を有しており、所定の厚みと可撓性とを有する材料で構成されている。
【００２２】
クッション材１２の材質の具体例としては、メルトブロー不織布、スパンボンド不織布等の不織布、スポンジ、ゴム、軟質樹脂等を挙げることができるが、１，０００ｇ／ｍ２以上の高目付の不織布を用いるのが好適である。また、クッション材１２は、ガス管等Ｘに巻き付けることができなくなるくらいに可撓性が悪くならない範囲の厚みである（例えば、８ｍｍ以下）ことが好ましい。もちろん、複数の不織布やスポンジ、ゴム、軟質樹脂等を積層してクッション材１２を構成してもよい。
【００２３】
下側シート１４は、可撓性を有しているとともに、クッション材１２よりも薄く形成された部材であり、例えば、押し出し成形で得られるポリプロピレンフィルムを延伸かつ解繊して得られた解繊糸を１３本／インチの密度で織成した厚さ約１ｍｍのシート状に構成されている。なお、解繊糸は、２０００デニール以上で、引張強度が８０Ｎ／本以上あるものが好適である。また、複数枚のシートを互いに一体に積層したものを下側シート１４として使用してもよい。
【００２４】
また、この下側シート１４は、例えば熱圧着、接着剤、あるいはニードルパンチ等の手段によってクッション材１２の表面に積層して固定されている。
【００２５】
上側シート１６は、可撓性を有しているとともに、クッション材１２よりも薄く形成された部材であり、下側シート１４の表面（クッション材１２に対して積層された面とは反対側の面）に当接するように配置されている。本実施形態では、上側シート１６は、上述した下側シート１４と同じ材料で構成されているが、これに限定されるものではなく、上側シート１６を下側シート１４とは異なる材料で構成してもよい。なお、防護材１０は、工事施工中、ガス管等Ｘに巻き付けられた状態で１年程度埋められない状態で屋外放置される場合もあるので、上側シート１６や下側シート１４を構成する糸に耐候性（例えば紫外線耐性）を付与させておくのが好適である。
【００２６】
また、本実施形態では、図２に示すように、上側シート１６と下側シート１４とは、２枚のシートを重ねて両端同士を互いに熱圧着、溶着、あるいは接着等の手段で互いに固定することによって形成された１つの部材で構成されている。このように、上側シート１６と下側シート１４とは、図１における幅方向の両端でそれぞれ互いに固定されているので、上側シート１６の中央部は、下側シート１４に対して摺動自在になっている。また、上述した、上側シート１６および下側シート１４の溶着等による固定は、端部の全体で行ってもよいし（図２における左端を参照）、一部分であってもよい（図２における右端を参照）。
【００２７】
なお、上側シート１６および下側シート１４の構成はこれに限定されるものではなく、例えば、図３に示すように、１枚のシート材を折り曲げることによって二重にして、シート材の両端同士を熱圧着、溶着、あるいは接着等の手段で互いに固定することにより、上側シート１６および下側シート１４を構成してもよい。
【００２８】
さらに、図４に示すように、上側シート１６と下側シート１４とを筒状に形成された１つの部材で構成してもよい。
【００２９】
このように上側シート１６および下側シート１４を、１枚のシート材を折り曲げて二重にしたり、筒状に形成された１つの部材から構成したりすることによって、少なくともいずれか一つの端部において互いに一体的に連結して構成することにより、上側シート１６および下側シート１４の端における溶着等の作業を減らすことができ、防護材１０の製作が容易になる。
【００３０】
（防護材１０の特徴）
本実施形態に係る防護材１０は、クッション材１２の表面に下側シート１４が積層され、さらにその上に上側シート１６が当該下側シート１４に対して当接するように配置されている。これにより、掘削機等の爪を水平方向動作させる際に、下側シート１４やクッション材１２に対して上側シート１６だけがずれたり破れたりするように動くことになり、施工者は埋設されているガス管等Ｘの存在に気づくことができ、爪を鉛直方向動作させる際に当該ガス管等Ｘを損傷させないように配慮できるようになる。
【００３１】
これにより、図５に示すように、例えばインシュロックＹを用いて、ガス管等Ｘに対して一重巻きで使用しても、施工者がガス管等Ｘの存在に気づくことができるような「ずれ」や「破れ」を生じさせることができることから、ガス管等Ｘへの施工が容易なガス管等Ｘの防護材１０を提供することができる。
【００３２】
さらに、上側シート１６の中央部が下側シート１４に対して摺動自在であることから、上側シート１６だけが下側シート１４やクッション材１２から独立して動くことが容易になり、上側シート１６だけに「ずれ」や「破れ」を容易に生じやすくさせることができる。
【００３３】
（変形例１）
ここまでの実施形態では、下側シート１４を熱圧着等の手段によってクッション材１２の表面に積層して固定し、その上に上側シート１６を下側シート１４に対して摺動可能に配設していたが、これに代えて、図６に示すように、上側シート１６を設けることなく、下側シート（シート）１４の中央部がクッション材１２に対して摺動自在となるように当該下側シート（シート）１４の端部のみをクッション材１２に取り付けてもよい。
【００３４】
これにより、下側シート（シート）１４がクッション材１２から独立して動くことが容易になり、下側シート（シート）１４だけに「ずれ」や「破れ」を容易に生じさせることができる。
【００３５】
（変形例２）
図７に示すように、上述した実施形態に係る防護材１０のクッション材１２における下側シート１４が積層された面とは反対側の面（つまり、クッション材１２におけるガス管等Ｘに接する面）に、ガス管等Ｘの表面で滑りにくい素材で構成された滑り止めシート２０を積層してもよい。
【００３６】
これにより、ガス管等Ｘに防護材１０を巻き付ける際、防護材１０がガス管等Ｘの表面で不所望に滑りにくくなり、防護材１０の巻き付け作業をより容易に実施できるようになる。
【００３７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００３８】
１０…防護材、１２…クッション材、１４…下側シート、１６…上側シート、２０…滑り止めシート
Ｘ…ガス管等、Ｙ…インシュロック
【図１】
2020169702.tif 000003
【図２】
2020169702.tif 000004
【図３】
2020169702.tif 000005
【図４】
2020169702.tif 000006
【図５】
2020169702.tif 000007
【図６】
2020169702.tif 000008
【図７】
2020169702.tif 000009